(57)【特許請求の範囲】
【請求項１】
蓋とベースの間の制御ボックス本体に、電子部品がハンダ実装された基板と当該基板に連結された放熱板とを有する基板ブロックが縦列配備されており、基板ブロックに、放熱板の上端から基板の電子部品側に向けた覆い部が、蓋と略平行に設けられて、放熱板と基板とにより基板のハンダ部を囲んでおり、放熱板には発熱素子が取り付けられ、放熱板が制御ボックス本体の一部外郭を形成し、
蓋とベースの各々に、スリットが、互いに対向しない位置に形成されており、
蓋に形成されたスリットは、覆い部の直上にのみ配置されていることを特徴とする制御ボックス。
【請求項２】
覆い部は、放熱板と一体であり、放熱板の折曲げにより形成されている請求項１記載の制御ボックス。
【請求項３】
放熱板と本体フレームの間に絶縁材が介在している請求項１記載の制御ボックス。
【請求項４】
放熱板は、本体フレームに取外し自在に接合している請求項１又は３記載の制御ボックス。
【発明の詳細な説明】
【０００１】
【発明の属する技術分野】
この発明は、制御ボックスに関するものである。さらに詳しくは、この発明は、耐塵埃性を確保しながら良好な放熱性を可能にした制御ボックスに関するものである。
【０００２】
【従来の技術】
各種電気機器には動作制御を可能とする回路部を納めた制御ボックスが設けられている。この制御ボックスは、従来では、設置環境に対して耐塵埃性を確保するように、極力開口部を設けずに、密閉した構造が採用されていた。
【０００３】
【発明が解決しようとする課題】
しかしながら、最近、機能製品の消費電力量は増大する傾向にあり、パワーロスに起因する発熱をその密閉構造が妨げるようになってきている。これを軽減するために、発熱素子を放熱板に取り付け、素子放熱を行うようにしてもいるが、やはり制御ボックスの内部に外気を導入し、ボックス内の熱気を外部に放出することが一番有効な発熱対策である。だが、この場合、制御ボックスの耐塵埃性との両立が必要とされる。
【０００４】
この発明は、以上の通りの事情に鑑みてなされたものであり、従来の制御ボックスの欠点を解消し、耐塵埃性を確保しながら良好な放熱性を可能にした制御ボックスを提供することを目的としている。
【０００５】
【課題を解決するための手段】
この発明は、上記の課題を解決するものとして、蓋とベースの間の制御ボックス本体に、電子部品がハンダ実装された基板と当該基板に連結された放熱板とを有する基板ブロックが縦列配備されており、基板ブロックに、放熱板の上端から基板の電子部品側に向けた覆い部が、蓋と略平行に設けられて、放熱板と基板とにより基板のハンダ部を囲んでおり、放熱板には発熱素子が取り付けられ、放熱板が制御ボックス本体の一部外郭を形成し、蓋とベースの各々に、スリットが、互いに対向しない位置に形成されており、蓋に形成されたスリットは、覆い部の直上にのみ配置されていることを特徴とする制御ボックスを提供する。
【０００６】
【発明の実施の形態】
以下、図面に沿ってこの発明の制御ボックスについてさらに詳しく説明する。
図１は、この発明の制御ボックスの第１の実施形態を概略的に示した分解斜視図である。また、図２は、その断面図である。
たとこえばこの図１及び図２に示したように、この発明の制御ボックスでは、蓋（１）とベース（２）の間の制御ボックス本体（３）に基板ブロック（４）が縦列配備されている。基板ブロック（４）には、電子部品（５）が基板（６）に実装され、この基板（６）と放熱板（７）がスペーサー（８）を介して連結している。放熱板（７）の上端からは、電子部品（８）側に向けて覆い部（９）が蓋（１）と略平行に設けられている。この覆い部（９）は、放熱板（７）と一体とすることができ、放熱板（７）の折曲げにより容易に形成することができる。また、蓋（１）とベース（２）の各々には、スリット（１０，１１）が、互いに対向しない位置に形成されている。
【０００７】
この発明の制御ボックスでは、蓋（１）とベース（２）にそれぞれ形成されたスリット（１０，１１）により、制御ボックス本体（３）に外気と連通する放熱路が形成されている。このため、外気をベース（２）のスリット（１１）から制御ボックス本体（３）に導入することができ、本体（３）で発生した熱気を蓋（１）のスリット（１０）から外気へと放出することができる。しかも、スリット（１０，１１）は、対向せず、互いにずれた位置に配置されているため、制御ボックス本体（３）の内部に熱の偏りが発生することなく、均一な放熱が可能となっている。
【０００８】
また、この発明の制御ボックスでは、基板ブロック（４）の頂部に覆い部（９）が設けられているため、蓋（１）に形成されたスリット（１０）を通じて侵入するおそれのある塵埃は、この覆い部（９）に一旦当たり、基板ブロック（４）の電子部品（５）に直接降りかかることはない。しかも覆い部（９）は、放熱板（７）と基板（６）とにより基板（６）のハンダ部を囲んでおり、ハンダ部には塵埃が侵入しにくくなっている。蓋（１）に形成するスリット（１０）は、図２に例示したように、基板ブロック（４）の覆い部（９）の直上に配置するのがより好ましく、塵埃の制御ボックス本体（３）内部への侵入防止に効果的である。
【０００９】
このように、この発明の制御ボックスは、耐塵埃性を十分に確保しながらも、良好な放熱性を可能としている。
図３は、この発明の制御ボックスの第２の実施形態を示した平面図である。
この図３に示した実施形態では、第１の実施形態を踏襲しつつ、さらに、発熱素子（１２）を放熱板（７）を直接取り付け、この放熱板（７）で制御ボックス本体（３）の外郭の一部を形成するようにしている。発熱素子（１２）は、この放熱板（７）に、たとえば裏面よりネジ止め等によって取付け可能であり、放熱グリスを塗布することができる。
【００１０】
このように、発熱素子（１２）を放熱板（７）に取り付けることで放熱性が向上し、しかも放熱板（７）で制御ボックス（３）の一部外郭を形成することにより、放熱板（７）が外気に露出し、放熱性がより向上する。
この場合、放熱板（７）と制御ボックス本体（３）のフレーム（１３）との間には絶縁材（１４）を介在させると、不要輻射ノイズ対策が簡便となる。不要輻射ノイズ対策には、１次側のアースをアース電位におかれる本体フレーム（１３）で取るのが一般に有効とされているが、１次及び２次両方の発熱素子が同一の放熱板（７）に装着される場合には、制御ボックスに設けられるフィルタ回路の効果が減少する傾向にある。放熱板（７）と本体フレーム（１３）との間に絶縁材（１４）を介在させると、アース絶縁性が確保され、フィルタ回路の効果が維持し、１次及び２次両方の発熱素子を同一の放熱板（７）に装着することが可能となる。
【００１１】
また、放熱板（７）は、たとえば、その両側端にフランジ部（１５）を備え、このフランジ部（１５）を介して制御ボックス本体（３）のフレーム（１３）に接合することができる。この接合には、たとえば、ボルト、ナット等の適宜な固着具（１６）を用いることができ、放熱板（７）をフレーム（１３）に対して取外し自在とすることができる。こうすることで、基板ブロック（４）がユニット化される。メンテナンス等が容易となり、たとえば、基板ブロック（４）の交換をユニット毎に行うことができ、簡便となる。
【００１２】
噴流式浴槽等の水廻り機器の場合には、図４に示したように、制御ボックス（１７）には、一般に、感電防止用の絶縁トランス（１８）が設けられ、電源回路に組み込まれている。この絶縁トランス（１８）は、重量が重く、制御ボックス（１７）を天井や壁などに設置するのに様々な不都合が生じている。制御ボックス（１７）の設置を可能とするには、天井や壁などに強度を持たせる必要があるが、これは単に構造上の問題だけでなく、制御ボックス設置のための工期調整、工事業者間の申し合わせ等の施工面にも支障を来している。
【００１３】
そこで、この発明の制御ボックスでは、スイッチング電源（１９）を絶縁トランス（１８）の一次側に設け、このスイッチング電源（１９）で一次入力を高速でスイッチングして絶縁トランス（１８）の効率を向上させることができる。絶縁トランス（１８）の効率は、通常５０〜６０％であるが、スイッチング電源（１９）により８０〜９０％にまで高められる。このため、絶縁トランス（１８）のサイズの縮小が可能となり、軽量化を実現することができる。その結果、制御ボックス（１７）の軽量化も図られ、たとえば図５に示したような制御ボックス（１８）の浴室天井への設置も容易となる。制御ボックス（１８）を支持する天井（２０）の構造設計も容易となり、施工面に反映することになるからである。
【００１４】
もちろんこの発明は、以上の実施形態によって限定されるものではない。制御ボックスの回路構成等の細部については様々な態様が可能であることは言うまでもない。
【００１５】
【発明の効果】
以上詳しく説明した通り、この発明によって、耐塵埃性を確保しながらも、良好な放熱性を可能にした制御ボックスが提供される。
【図面の簡単な説明】
【図１】この発明の制御ボックスの第１の実施形態を概略的に示した分解斜視図である。
【図２】図１に示した形態の断面図である。
【図３】この発明の制御ボックスの第２の実施形態を示した平面図である。
【図４】制御ボックスの回路構成の一形態を示したブロック図である。
【図５】制御ボックスの浴室天井への設置を概略的に示した斜視図である。
【符号の説明】
１    蓋
２    ベース
３    制御ボックス本体
４    基板ブロック
５    電子部品
６    基板
７    放熱板
８    スペーサー
９    覆い部
１０，１１    スリット
１２    発熱素子
１３    フレーム
１４    絶縁材
１５    フランジ部
１６    固着具
１７    制御ボックス
１８    絶縁トランス
１９    スイッチング電源
２０    天井
【図１】
0003736036.tif 000002
【図２】
0003736036.tif 000003
【図３】
0003736036.tif 000004
【図４】
0003736036.tif 000005
【図５】
0003736036.tif 000006